(57)【要約】本発明の一態様では、通信システムのローミングを制御する方法を提供する。この方法は、移動機に１５桁のＭＩＮベースのＩＭＳＩを格納することを含む。この１５桁のＭＩＮベースのＩＭＳＩは、１０桁の移動体識別番号（ＭＩＮ）と、１５桁のホーム・ネットワーク識別子（ＨＮＩ）とで構成されている。一般に、通信システムは、１５桁のＭＩＮベースのＩＭＳＩを使用してローミングを制御する。しかしながら、移動機は、移動機がホーム・ネットワーク内にあることに応答して１０桁のＭＩＮのみを送信する。１５桁の世界共通の識別子を形成するために、ホーム・ネットワークはそのＨＮＩを受信したＭＩＮに付加する。移動機がホーム・ネットワーク以外にあるとき、移動機は１５桁の世界共通の識別子全体を送信する。
2009516477.tif 000002
【特許請求の範囲】
【請求項１】
移動体識別番号（ＭＩＮ）とホーム・ネットワーク識別子（ＨＮＩ）とからなる識別子の少なくとも一部を移動機から受信するステップと、
前記ＭＩＮおよびＨＮＩを格納するステップと、
前記移動機のローミングに応答して基地局から前記移動機へ呼をルーティングするために前記ＭＩＮおよびＨＮＩを使用するステップと、
ホーム・ネットワークにある前記移動機に応答して前記基地局から前記移動機へ呼をルーティングするために前記ＭＩＮを使用するステップと
を含む方法。
【請求項２】
前記識別子を受信するステップが、前記移動機のローミングに応答して前記ＭＩＮおよびＨＮＩからなる国際移動体加入者識別ＩＤ（ＩＭＳＩ）を受信するステップをさらに含む、請求項１に記載の方法。
【請求項３】
基地局が、前記移動機のローミングに応答して前記移動機のＨＮＩおよび前記移動機のＭＩＮを含む位置情報更新要求（ＬＵＲ）をサービス中の移動体交換局（ＭＳＣ）に送信するステップをさらに含む、請求項２に記載の方法。
【請求項４】
前記ＭＩＮおよびＨＮＩを格納するステップが、前記サービス中のＭＳＣと関連するデータベースに前記ＭＩＮおよびＨＮＩを格納するステップをさらに含む、請求項３に記載の方法。
【請求項５】
前記サービス中のＭＳＣと関連する前記データベースに前記ＭＩＮおよび前記ＨＮＩを格納するステップが、ＭＩＮＥｘｔｅｎｓｉｏｎとして前記ＨＮＩを格納するステップをさらに含む、請求項４に記載の方法。
【請求項６】
前記サービス中のＭＳＣが、前記ＭＩＮと前記ＭＳＣの識別番号（ＭＳＣＩＮ）とを含む登録メッセージをホーム・ロケーション・レジスタ（ＨＬＲ）へ送信するステップをさらに含む、請求項３に記載の方法。
【請求項７】
前記ＨＬＲが、前記ＭＩＮと、前記ＭＳＣＩＮと、前記ＨＬＲと関連する送信者識別番号とからなるルーティング要求信号を前記サービス中のＭＳＣへ送信するステップをさらに含む、請求項６に記載の方法。
【請求項８】
前記サービス中のＭＳＣが、前記移動機の前記ＭＩＮおよびＨＮＩを含む呼び出し要求信号を前記基地局へ送信するステップをさらに含む、請求項７に記載の方法。
【請求項９】
前記識別子を受信するステップが、ホーム・ネットワークにある前記移動機に応答して前記ＭＩＮからなる国際移動体加入者識別ＩＤ（ＩＭＳＩ）を受信するステップをさらに含む、請求項１に記載の方法。
【請求項１０】
前記ホーム・ネットワークにある前記移動機に応答して前記基地局から前記移動機へ呼をルーティングするために前記ＭＩＮを使用するステップが、前記ホーム・ネットワークにある前記移動機に応答して前記ＭＩＮのみを使用して前記移動機を呼び出すステップをさらに含む、請求項１に記載の方法。
【発明の詳細な説明】
【技術分野】
【０００１】
本発明は、一般に電気通信に関し、より詳細には無線通信に関するものである。
【背景技術】
【０００２】
携帯電話の通信など無線による通信の分野では、システムは典型的にそのシステムが機能するエリア内に分散された複数の基地局を含む。エリア内の様々なユーザは、固定体であれ移動体であれ、その後１つまたは複数の基地局を介して、そのシステムおよびそれと共に相互接続した他の電気通信システムにアクセスすることができる。典型的に移動機は、ユーザの移動に合わせて１つの基地局から別の基地局へと通信することにより、移動機がエリアを通過するときにシステムとの通信を維持する。移動機は、最も近い基地局、最も強い信号を有する基地局、通信に応じるために十分な容量を有する基地局などと通信することができる。
【０００３】
多くの移動機は、移動体識別番号（ＭＩＮ）と呼ばれる１０桁の一意の加入識別子を付けて、サービス・プロバイダによりプログラムされる。具体的には、米国のサービス・プロバイダは、国際移動体加入者識別ＩＤ（ＩＭＳＩ）ではなくＭＩＮを用いる。ＭＩＮは、認証、カスタマイズされたサービスの提供、および正確な課金のためにサービス・プロバイダにより使用されることが可能である。しかしながら、ＭＩＮを使用することに関連したいくつかの欠点がある。例えば、携帯電話の通信が急増するにつれて、一意のＭＩＮの番号が枯渇する危険性がある。さらに、ＭＩＮを使用するための国際標準がなく、したがって国際ローミング標準はＭＩＮに対応していない。ＩＭＳＩを使用する移動機は、ＭＩＮのみを用いる携帯電話システムにローミングすることはできず、ＭＩＮを使用する移動機は、ＭＩＮに基づいたルーティングが対応されていないためにＩＭＳＩのみを用いる携帯電話システムにローミングすることはできない。
【非特許文献１】ＲＦＣ７９１
【非特許文献２】ＲＦＣ２４６０
【発明の開示】
【発明が解決しようとする課題】
【０００４】
本発明は、上述した問題の１つまたは複数の影響を克服すること、あるいは少なくとも削減することを目的とする。
【課題を解決するための手段】
【０００５】
本発明の一態様では、方法を提供する。この方法は、移動機から識別子の少なくとも一部を受信することを含み、この識別子は、移動体識別番号（ＭＩＮ）と、ホーム・ネットワーク識別子（ＨＮＩ）とからなる。ＭＩＮおよびＨＮＩが格納される。移動機のローミングに応答して基地局から移動機へ呼をルーティングするためにＭＩＮおよびＨＮＩが共に使用される。ホーム・ネットワークにある移動機に応答して、基地局から移動機へ呼をルーティングするためにＭＩＮのみが使用される。
【０００６】
本発明は、同じ参照符号が同じ要素を示す添付の図面と併せ読む次の説明を参照して理解されるであろう。
【発明を実施するための最良の形態】
【０００７】
本発明は、様々な修正および代替形態が可能であるが、そのうちの特定の実施形態を図面に例として示し、本明細書で詳細を説明している。しかしながら、特定の実施形態についての本明細書での説明は、本発明を開示した特定の形態に限定しようとするものではなく、むしろ特許請求の範囲で定義される本発明の趣旨と範囲内にあるあらゆる修正物、均等物、および代替物を包含しようとするものであることを理解されたい。
【０００８】
本発明の例示的な実施形態を以下に説明する。明瞭にするために、本明細書で実際の実施の特徴をすべて述べているわけではない。いかなるこのような実際の実施形態の開発においても、開発者の特定の目標を達成するために、例えば実施ごとに異なる可能性があるシステム関連の制約およびビジネス関連の制約に従うことなど、数多くの実施時固有の決定を行う場合があると当然理解される。さらに、このような開発努力は複雑で時間のかかるものであるが、それでもやはり本開示の恩恵を受ける当業者には日常的な取り組みである可能性があると理解される。
【０００９】
ここで図面を見て、具体的には図１を参照すると、本発明の一実施形態に従って通信システム１００が示されている。説明するために、図１の通信システム１００は符号分割多重接続（ＣＤＭＡ）方式であるが、本発明はデータおよび／または音声通信に対応する他の方式に適用できる可能性があることを理解されたい。通信システム１００により、１つまたは複数の移動機１２０は、１つまたは複数の基地局１３０を介してインターネットおよび／または公衆交換電話網（ＰＳＴＮ）１２８などのデータ・ネットワーク１２５と通信することができる。移動機１２０は、携帯電話、携帯情報端末（ＰＤＡ）、ラップトップ・コンピュータ、デジタル・ページャ、無線カード、ならびに基地局１３０を介してデータ・ネットワーク１２５および／またはＰＳＴＮ１２８にアクセス可能なあらゆる他の機器を含む、様々な機器のいずれかの形態をとることができる。
【００１０】
一実施形態では、複数の基地局１３０は、Ｔ１／ＥＩ線もしくは回路、ＡＴＭ回路、ケーブル、光デジタル加入者線（ＤＳＬ）などの１つまたは複数の接続によって無線ネットワーク制御装置（ＲＮＣ）１３８につながれることが可能である。当業者には理解されるように、多数の基地局１３０と接続するために、複数のＲＮＣ１３８が利用される場合がある。一般にＲＮＣ１３８は、接続されている基地局１３０を制御し、調整するように働く。図１のＲＮＣ１３８は一般に、複製サービス、通信サービス、実行時サービス、およびシステム管理サービスを提供する。ＲＮＣ１３８は、例示の実施形態では、呼の経路を設定するおよび終端させるなど呼処理機能を扱い、基地局１３０の各々により対応される各ユーザ１２０についておよび各セクタについて順方向および／または逆方向のリンク上のデータ伝送速度を決定することができる。
【００１１】
ＲＮＣ１３８の各々は、複数の移動体交換局（ＭＳＣ）１４０の１つにつながれる。ＭＳＣ１４０は、一般に移動機１２０に対して呼のルーティングに関する検索情報を提供することを担っている。以下にさらに詳細に述べるように、一般にＭＳＣ１４０は、移動機１２０により提供される移動局識別ＩＤ（ＭＳＩＤ）を使用して呼のルーティングを制御する。
【００１２】
また、ＭＳＣ１４０は、Ｔ１／ＥＩ線または回路、ＡＴＭ回路、ケーブル、光デジタル加入者線（ＤＳＬ）などの様々な形態のいずれかをとることができる接続を介してコア・ネットワーク（ＣＮ）１５０につながれる。一般にＣＮ１５０は、データ・ネットワーク１２５および／またはＰＳＴＮ１２８へのインターフェースとして働く。ＣＮ１５０は、ユーザの認証など様々な機能および操作を行うが、本発明を理解して正しく評価するのにＣＮ１５０の構造および操作の詳細な説明は不要である。したがって、本発明を不必要に分かりにくくすることを避けるために、本明細書ではこれ以上ＣＮ１５０の詳細を示さない。
【００１３】
データ・ネットワーク１２５は、インターネット・プロトコル（ＩＰ）によるデータ・ネットワークなど、パケット交換型データ・ネットワークとすることができる。ＩＰの１つのバージョンは、１９８１年９月付けの「インターネット・プロトコル」と題するＲｅｑｕｅｓｔ  ｆｏｒ  Ｃｏｍｍｅｎｔｓ（ＲＦＣ）７９１で説明されている。ＩＰｖ６、または他のコネクションレス型パケット交換標準規格などＩＰの他のバージョンを、さらなる実施形態で利用することもできる。ＩＰｖ６のバージョンについては、１９９８年１２月付けの「インターネット・プロトコル・バージョン６（ＩＰｖ６）規格」と題するＲＦＣ２４６０で説明されている。データ・ネットワーク１２５は、さらなる実施形態で他のタイプのパケットベースのデータ・ネットワークを含むこともできる。このような他のパケットベースのデータ・ネットワークの例には、非同期転送モード（ＡＴＭ）、フレームリレー・ネットワークなどがある。
【００１４】
本明細書で使用する「データ・ネットワーク」とは、１つまたは複数の通信ネットワーク、チャネル、リンク、もしくはパス、およびこのようなネットワーク、チャネル、リンク、もしくはパスによってデータをルーティングするために使用されるシステムまたは装置（ルータなどの）を指すものとする。
【００１５】
したがって、通信システム１００は、移動機１２０とデータ・ネットワーク１２５および／またはＰＳＴＮ１２８との間の通信を容易にすると、当業者は理解するであろう。しかしながら、図１の通信システム１００の構成は事実上例示的なものであり、本発明の趣旨および範囲から逸脱することなく通信システム１００の他の実施形態でより少ない構成要素または追加の構成要素を用いることができると理解されたい。
【００１６】
特に別段の指定がなければ、記述から明らかなように、「処理する」または「コンピュータを使う」または「計算する」または「決定する」または「表示する」などの用語は、コンピュータ・システムのレジスタおよびメモリ内の物理量、電子量として表されるデータを操作して、コンピュータ・システムのメモリもしくはレジスタまたは他のこのような情報記憶装置、転送装置、もしくは表示装置内の物理量として表される他のデータに変換するコンピュータ・システムまたは同様の電子計算装置の動作および処理のことを指す。
【００１７】
当業者は理解するように、米国では、移動機１２０の各々は歴史的に、移動体識別番号（ＭＩＮ）で構成される一意の移動局識別ＩＤ（ＭＳＩＤ）を使用してきた。既存の標準規格では、ＭＩＮの長さは１０桁である。ＭＩＮは、北米の無線サービス・プロバイダについてはＭＩＮブロック管理者、北米以外の無線サービス・プロバイダについては国際ローミングＭＩＮ管理者により割り当てられて管理される。既存の標準規格下では、各移動機１２０は２つの識別子でプログラムされることが可能である。１つの識別子は１５桁の「真のＩＭＳＩ」であり、もう１つの識別子は、一意でないためルーティングには使用できない５桁の「デフォルト」ネットワーク識別子が前に付いた１０桁のＭＩＮからなる「ＭＩＮベースのＩＭＳＩ」である。本発明の一実施形態では、真のＩＭＳＩは、各移動機１２０にプログラムされない、あるいは少なくとも本発明では使用されない。もっと正確に言えば、本発明の一実施形態では、呼のルーティングにおいて移動機１２０のＭＩＮベースのＩＭＳＩフィールドのみを使用する。
【００１８】
ここで図２Ａを参照すると、本発明の一実施形態では、ＭＩＮベースのＩＭＳＩは、１５桁の番号の形態をとり、３桁の移動体国コード（ＭＣＣ）２００および２桁の移動体ネットワーク・コード（ＭＮＣ）２０２が合わせて５桁のホーム・ネットワーク識別子（ＨＮＩ）２０４を形成する。ＭＩＮベースのＩＭＳＩの最下位１０桁に位置する移動局識別番号（ＭＳＩＮ）２０６は、従来の１０桁のＭＩＮ２０６から形成される。ＩＭＳＩを確立するこの方式は、図２Ｂに示すように北米の現在の標準が一般に５桁のＨＮＩ２１４を許可していないという点で、北米のＩＭＳＩの現在の標準とは異なり、本発明のこの実施形態のＨＮＩ２０４は、ＭＣＣ２００およびＭＮＣ２０２から移動機のホーム・ネットワークを割り当てられて実際に識別する情報を含む。
【００１９】
さらに、移動機１２０のホーム・ネットワークがＭＩＮ２０６の使用に対応しているとき、ＭＩＮ２０６は移動機のＭＩＮと一致し、移動機のＭＩＮとして使用されることが可能である。本発明の一実施形態では、各サービス・プロバイダが独自のＭＩＮを管理する権限を有するであろうと予想する。つまり各サービス・プロバイダは、他のサービス・プロバイダには関係なくＭＩＮ２０６を割り当てることが許される。したがって、本発明では２つのサービス・プロバイダが２つの異なる移動機１２０に同一のＭＩＮ２０６を割り当てることができるということを当業者は理解するであろう。しかしながら、以下により詳細に説明するように、２つの移動機１２０は非同一のＨＮＩ２０４を有し、世界中でただ１つの１５桁のＩＭＳＩが得られる。ローミング中の移動機１２０が初めてサービス中のシステムにアクセスしようとするとき、ローミング中の移動機１２０により１５桁のＩＭＳＩ全体が示されると、サービス中のシステムはＨＮＩを用いてローミング中の加入者およびローミング中の加入者のホーム・サービス・プロバイダを識別することができる。
【００２０】
この番号付け方式が、現在業界に差し迫っている１０桁のＭＩＮ２０６の近い将来の枯渇を軽減するであろうということを、当業者は理解するであろう。さらに、移動機１２０がそのホーム・ネットワーク内にあるとき、ホーム・ネットワーク内では１０桁のＭＩＮ２０６は各移動機１２０を一意に識別するのに十分であるので、移動機は１５桁のＩＭＳＩではなくその１０桁のＭＩＮを使用し続けることができる。
【００２１】
この番号付け方式の有益な結果には、その加入者に１０桁のＭＩＮを使用し続けることができるおかげで、既存のＣＤＭＡの運用により無線インターフェースの十分な利用を維持するということが含まれる。さらに、ＨＬＲが、Ｓ−ＭＳＣ１４０へのシステム間動作メッセージと共に電話のＩＭＳＩ＿Ｍ＿Ｓ（またはＭＩＮ）と併せて、割り当てられたＨＮＩの付いたＩＭＳＩの形式の送信者識別番号（ＳＥＮＤＥＲＩＮ）を提供するかぎり、ＡＮＳＩ４１呼配信（ルーティング要求を受信し、呼を配信する移動体を呼び出す）は適切に動作し続けることができる。
【００２２】
さらに、提案する番号付け方式は６桁のＨＮＩを使用しないので、拡張した優先ローミング・リスト（ｅｎｈａｎｃｅｄ  Ｐｒｅｆｅｒｒｅｄ  Ｒｏａｍｉｎｇ  Ｌｉｓｔ、ｅＰＲＬ）への変更を必要としない。ｅＰＲＬを使用するには、（ａ）基地局は、可能なサービス中のシステムが自身を識別するための５桁のＨＮＩをブロードキャストする、（ｂ）移動機１２０は、この５桁のＨＮＩを使用して、これを移動機１２０にプログラムされた優先ローミング・パートナーの５桁のＨＮＩの優先リストと比較することによってアクセスするサービス中のシステムを選択する必要がある。５桁のＨＮＩは、拡張システム・パラメータ・メッセージ（Ｅｘｔｅｎｄｅｄ  Ｓｙｓｔｅｍ  Ｐａｒａｍｅｔｅｒ  Ｍｅｓｓａｇｅ、ＥＳＰＭ）の中に基地局１３０により無線でブロードキャストされる。５桁のＨＮＩがＥＳＰＭ内にあるので、５桁のＨＮＩを有する移動体のｅＰＲＬはプログラムを作り直す必要がない。同様に、６桁のＨＮＩに対応するためのＩＳ−２０００への変更、および変更したｅＰＲＬを無線で移動体に供給するためのＩＳ−６８３への変更は必要ではない。
【００２３】
次に図３および４を参照すると、様々な移動機１２０が様々なサービス・プロバイダと通信しようとする場合の様々なシナリオにおいて、システム１００の様々な構成要素間で交換されるメッセージを流れ図により様式的に示している。例えば、図３は、移動機１２０がそのホーム・ネットワークと通信しているときに発生するメッセージの流れを表すが、図４は、移動機１２０がホーム・ネットワーク以外と通信しているとき、すなわち移動機がローミングしているときに発生するメッセージの流れを表す。
【００２４】
まず図３を参照すると、ＭＩＮベースのＩＭＳＩ（ＩＭＳＩ＿Ｍ＝３１１＋１２＋ＩＭＳＩ＿Ｍ＿Ｓ）のみを有する移動機（ＭＳ）は、拡張システム・パラメータ・メッセージ（ＥＳＰＭ）の信号によって示されるように、３１１１２に設定されたＨＮＩを有する、この移動機のホーム・サービス・プロバイダの基地局（ＢＳ）１３０と通信しようと試みている。基地局１３０はまた、サービス中のＭＳＣ１４０による移動体アプリケーション・プロトコルでは真の１５桁のＩＭＳＩが対応されないことをＥＳＰＭの信号で伝えている（ＩＭＳＩ＿Ｔ＿ＳＵＰＰＯＲＴＥＤ＝０）。このシナリオでは、移動機１２０は、受信するＨＮＩが移動機内部に格納されているＨＮＩに適合するため移動機はそのホーム・サービス・プロバイダと通信していると認識し、したがって移動機１２０は、ＩＭＳＩのうち１０桁のＭＩＮ部分のみを含む登録メッセージ（ＲＧＭ（ＩＭＳＩ＝ＩＭＳＩ＿Ｍ＿Ｓ））を配信する。現在の標準では、移動機１２０は常に、ＭＣＣ＋００（例えば米国では３１０００）という５桁のＨＮＩ値を含むあまり十分でない１５桁の応答を送信することを、当業者は理解するであろう。これは、加入者の移動機においてある国のすべてのサービス・プロバイダにより利用可能なデフォルトの、すなわち割り当てられたものではないＨＮＩ値である。このように、ＭＣＣ＋００はサービス・プロバイダを一意に識別せず、ｅＰＲＬ、ＥＳＰＭのＨＮＩ、またはメッセージのルーティングには使用されない。したがって、ＥＳＰＭでブロードキャストされるＨＮＩは移動機１２０のＩＭＳＩ＿ＭのＨＮＩと決して適合せず、移動機１２０は常に１５桁を基地局１３０に送信する。
【００２５】
さらに図３を参照すると、基地局１３０は、その５桁のＨＮＩ（この例では３１１１２）を先頭に付加し、位置情報更新要求（Ｌｏｃａｔｉｏｎ  Ｕｐｄａｔｉｎｇ  Ｒｅｑｕｅｓｔ、ＬＵＲ）で１５桁のＩＭＳＩをサービス中のＭＳＣ１４０へ転送する。このシナリオのサービス中のＭＳＣ１４０は、移動体アプリケーション・プロトコルが移動体の識別に関して１５桁のＩＭＳＩに対応していないため、ＩＭＳＩのうちＨＮＩ部分をＭＩＮＥｘｔｅｎｓｉｏｎとしてＭＳＣのデータベース１４０に格納する。ＭＩＮＥｘｔｅｎｓｉｏｎは、その後の呼配信に必要である。次にサービス中のＭＳＣ１４０は、ＩＭＳＩのＭＩＮ部分を含んだ登録通知（Ｒｅｇｉｓｔｒａｔｉｏｎ  Ｎｏｔｉｆｉｃａｔｉｏｎ、ＲＥＧＮＯＴ）をネットワークまたはシステム１００内に位置するホーム・ロケーション・レジスタ（ＨＬＲ）へ転送する。登録通知のメッセージは、イントラシステムの信号のアドレスとしてＭＩＮか１５桁のＩＭＳＩかを使用するネットワークを介してＨＬＲへルーティングされる。サービス中のＭＳＣ１４０は、ＨＬＲへの登録メッセージにＭＳＣ識別番号（ＭＳＣＩＮ）（Ｅ．２１２  ＧＴアドレス）を送信する。登録メッセージは、サービス中のＭＳＣ１４０を、国際ローミングおよび１５桁の移動体識別子に対応するＥ．２１２グローバル・タイトル・アドレスを有するものと確認する。ＨＬＲは、サービス中のＭＳＣのＧＴアドレス（ＭＳＣＩＮ）を格納し、続いてサービス中のＭＳＣ１４０にメッセージをルーティングする。例えば、ＨＬＲが、サービス中のＭＳＣ１４０に登録された移動機１２０へ着信呼の通知を受信すると、ＨＬＲは登録メッセージで受信したＭＳＣＩＮをルーティング・アドレスとして使用して、サービス中のＭＳＣ１４０にＲＯＵＴＥＲＥＱメッセージを送信する。サービス中のＭＳＣ１４０が登録メッセージでＭＳＣＩＮを送信したので、ＨＬＲはサービス中のＭＳＣ１４０に送信者識別番号（ＳＥＮＤＥＲＩＮ）（ＨＮＩ＋１０桁のＨＬＲ）を送信して応答する。ＳＥＮＤＥＲＩＮで送信されるＨＬＲのＨＮＩは、ＨＬＲに扱われる移動機１２０のＨＮＩと同じでなければならない。サービス中のＭＳＣ１４０は、ＳＥＮＤＥＲＩＮで受信されたＨＮＩ（この場合は３１１１２）をＭＩＮの先頭に付加してＭＳＣ１４０内で移動機１２０を一意に識別する。
【００２６】
移動機１２０への呼がＲＯＵＴＥＲＲＥＱ／ＴＬＤＮ（ＭＩＮ＝ＩＭＳＩ＿Ｍ＿Ｓ、ＭＳＣＩＮ＝Ｅ．２１２（Ｏ−ＭＳＣ）、ＳＥＮＤＥＲＩＮ＝３１１＋１２＋１０ｄ）の形態でネットワーク１００からサービス中のＭＳＣ１４０へ届くと、サービス中のＭＳＣ１４０は、１５桁のＩＭＳＩを形成するために、ＳＥＮＤＥＲＩＮで受信した５桁のＨＮＩ（３１１１２）をＭＩＮの先頭に付加する。この１５桁のＩＭＳＩは、移動機１２０により登録時に送信された１５桁のＩＭＳＩと適合する必要がある。このＩＭＳＩは、ＭＩＮおよびＭＩＮＥｘｔｅｎｓｉｏｎ（移動機１２０からの５桁のＨＮＩ）としてサービス中のＭＳＣのデータベース４００に格納されていた。サービス中のＭＳＣ１４０は、移動機のＭＩＮＥｘｔｅｎｓｉｏｎをＭＩＮ（ＩＭＳＩ＿Ｍ＿Ｓ）の先頭に付加することにより呼び出し要求（ＰＲ）を形成し、これを基地局１３０へ転送する。次に基地局１３０は、この移動機１２０がホームにあるため、１０桁のＩＭＳＩ＿Ｍ＿Ｓのみを使用して移動局１２０へ呼び出しを行う。これは、呼び出しに１５桁のＩＭＳＩが使用された場合に比べて、ホームにある移動機１２０について無線インターフェースをより有効に使用することになる。
【００２７】
次に図４を参照すると、３１２３４のＨＮＩ値に設定されたＭＩＮベースのＩＭＳＩのみを有するローミング中の移動機（ＭＳ）１２０が、ＥＳＰＭ信号で示されるように３１１１２に設定されたＨＮＩを有する（移動機１２０のＨＮＩは３１２３４に設定されている）ホーム以外のサービス・プロバイダの基地局（ＢＳ）と通信しようと試みている。このホーム以外のサービス・プロバイダの基地局１３０はまた、サービス中のＭＳＣ１４０による移動体アプリケーション・プロトコルでは真のＩＭＳＩは対応されないこと（ＩＭＳＩ＿Ｔ＿ＳＵＰＰＯＲＴＥＤ＝０）をＥＳＰＭの信号で伝えている。移動機１２０は、ＭＩＮベースのＩＭＳＩから形成された基地局への１５桁の登録メッセージ（ＩＭＳＩ＿Ｍ＝３１２＋３４＋ＩＭＳＩ＿Ｍ＿Ｓ）を送信する。基地局１３０は、同じＭＩＮベースのＩＭＳＩ（ＬＵＲ（ＩＭＳＩ＿Ｍ＝３１２＋３４＋ＩＭＳＩ＿Ｍ＿Ｓ））に基づく１５桁の位置情報更新要求（ＬＵＲ）を配信する。この場合もやはりサービス中のＭＳＣ１４０は、移動機アプリケーション・プロトコルが移動機の識別に関して真の１５桁のＩＭＳＩに対応していないので、その後の呼配信に備えてＩＭＳＩのＨＮＩ部分をＭＩＮＥｘｔｅｎｓｉｏｎとしてサービス中のＭＳＣのデータベース４００に格納する。次にサービス中のＭＳＣ１４０は、ＩＭＳＩのＭＩＮ部分を含んだ登録通知（Ｒｅｇｉｓｔｒａｔｉｏｎ  Ｎｏｔｉｆｉｃａｔｉｏｎ、ＲＥＧＮＯＴ）をネットワークまたはシステム１００内に位置するホーム・ロケーション・レジスタ（ＨＬＲ）へ転送する。登録通知メッセージは、システム間の信号に１５桁のＩＭＳＩを使用するネットワークを介してＨＬＲへルーティングされる。サービス中のＭＳＣ１４０はまた、ＨＬＲへの登録メッセージにＭＳＣ識別番号（ＭＳＣＩＮ）（Ｅ．２１２  ＧＴアドレス）を送信する。登録メッセージは、サービス中のＭＳＣ１４０が国際ローミングに対応するＥ．２１２グローバル・タイトル・アドレスを有するものと認定する。ＨＬＲは、サービス中のＭＳＣのＧＴアドレス（ＭＳＣＩＮ）を格納し、続いてサービス中のＭＳＣ１４０にメッセージをルーティングする。サービス中のＭＳＣ１４０からＭＳＣＩＮを受信することに応答して、ＨＬＲは次に、この移動機１２０に関するサービス中のＭＳＣ１４０へのその後のメッセージでサービス中のＭＳＣ１４０へ送信者識別番号（ＳＥＮＤＥＲＩＮ）（ＨＮＩ＋１０桁のＨＬＲ）を送信する。ＳＥＮＤＥＲＩＮで送信されるＨＬＲのＨＮＩは、ＨＬＲによりサービスされる移動機１２０のＨＮＩと同じものである。
【００２８】
移動機１２０への呼がＲＯＵＴＥＲＲＥＱ／ＴＬＤＮ（ＭＩＮ＝ＩＭＳＩ＿Ｍ＿Ｓ、ＭＳＣＩＮ＝Ｅ．２１２（Ｏ−ＭＳＣ）、ＳＥＮＤＥＲＩＮ＝３１２＋３４＋１０ｄ）の形態でネットワーク１００からサービス中のＭＳＣ１４０へ届くと、サービス中のＭＳＣ１４０は、１５桁のＩＭＳＩを形成するために、ＳＥＮＤＥＲＩＮで受信した５桁のＨＮＩ（３１２３４）をＭＩＮの先頭に付加する。この１５桁のＩＭＳＩは、移動機により登録時に送信された１５桁のＩＭＳＩに適合する必要がある。このＩＭＳＩは、ＭＩＮおよびＭＩＮＥｘｔｅｎｓｉｏｎ（移動機１２０からの５桁のＨＮＩ）としてサービス中のＭＳＣのデータベース４００に格納されていた。サービス中のＭＳＣ１４０は、移動体のＭＩＮＥｘｔｅｎｓｉｏｎをＭＩＮ（ＩＭＳＩ＿Ｍ＿Ｓ）の先頭に付加することにより呼び出し要求（ＰＲ）を形成し、これを基地局１３０へ転送する。次に基地局１３０は、この移動機１２０がホームにないため、１５桁のＩＭＳＩ＿Ｍを使用して移動局１２０へ呼び出しを行う。
【００２９】
本明細書の様々な実施形態で説明した様々なシステムの層、ルーチン、またはモジュールは、実行可能な制御ユニットとすることができることを当業者は理解するであろう。制御ユニットは、マイクロプロセッサ、マイクロコントローラ、デジタル信号プロセッサ、プロセッサカード（１つまたは複数のマイクロプロセッサもしくはコントローラを含む）、または他の制御装置もしくはコンピューティング装置を含むことができる。この記述で言及する記憶装置は、データおよび命令を格納するための１つまたは複数の機械可読記憶媒体を含むことができる。記憶媒体は、ダイナミック・ランダム・アクセス・メモリ（ＤＲＡＭ）もしくはスタティック・ランダム・アクセス・メモリ（ＳＲＡＭ）、消去可能および書き込み可能なリードオンリーメモリ（ＥＰＲＯＭ）、電気的に消去可能および書き込み可能なリードオンリーメモリ（ＥＥＰＲＯＭ）、ならびにフラッシュメモリなどの半導体メモリ素子と、固定ディスク、フロッピー（登録商標）・ディスク、リムーバブル・ディスクなどの磁気ディスクと、テープを含む他の磁気媒体と、コンパクト・ディスク（ＣＤ）もしくはデジタル・ビデオ・ディスク（ＤＶＤ）などの光媒体とを含む様々な形態のメモリを含むことができる。様々なシステムにおいて様々なソフトウェアの層、ルーチン、またはモジュールを作り上げる命令は、それぞれの記憶装置に格納されることが可能である。命令は、制御ユニットにより実行されると、対応するシステムにプログラムされた動作を行わせる。
【００３０】
本明細書の教示の恩恵を受ける当業者には明白である、異なるが等価な方法で本発明を変更して実施することができるため、上述した特定の実施形態は一例にすぎない。なお、特許請求の範囲に記載した以外に、本明細書に示した構成または設計の詳細に限定するつもりはない。したがって、本方法、システム、および記載した方法およびシステムの一部は、無線ユニット、基地局、基地局のコントローラ、および／または移動体交換局などの様々な場所で実行されることが可能である。さらに、記載したシステムを実施して利用するために必要とされる処理回路は、本開示の恩恵を受ける当業者には理解されるように、特定用途向け集積回路、ソフトウェア主導の処理回路、ファームウェア、プログラム可能論理回路、ハードウェア、上述の要素の個別の要素または配置に実装されることが可能である。したがって、上記で開示した特定の実施形態を変更または修正することができるのは明らかであり、すべてのこのような変形は本発明の範囲および趣旨の内であるとみなされる。よって、本明細書で求める保護は、添付の特許請求の範囲に示す通りである。
【図面の簡単な説明】
【００３１】
【図１】本発明を用いることができる典型的な通信システムのブロック図である。
【図２Ａ】本発明の少なくともいくつかの態様を用い、図１の通信システムで使用されることが可能であるＩＭＳＩの番号付け方式の様式図である。
【図２Ｂ】今日米国で使用されているＩＭＳＩの番号付け方式の様式図である。
【図３】多様な移動機が多様なサービス・プロバイダと通信しようとすることが可能である本発明の少なくともいくつかの態様に基づいて、図１の通信システムの様々な要素間で交換されるメッセージを様式的に示す流れ図である。
【図４】多様な移動機が多様なサービス・プロバイダと通信しようとすることが可能である本発明の少なくともいくつかの態様に基づいて、図１の通信システムの様々な要素間で交換されるメッセージを様式的に示す流れ図である。
【図１】
2009516477.tif 000003
【図２Ａ】
2009516477.tif 000004
【図２Ｂ】
2009516477.tif 000005
【図３】
2009516477.tif 000006
【図４】
2009516477.tif 000007
【国際調査報告】
2009516477.tif 000008
2009516477.tif 000009
2009516477.tif 000010